(57)【要約】【課題】部品の損傷が無く、再整列が不要で、スライダーの移動距離が短く、生産スピードの向上が図れる部品供給装置を提供することを目的とするものである。【解決手段】部品２を個々に切断分離する孔を設けた中空状のスライド・ガイド・ブロック６の上面に結合した切断ダイ５、外部から供給されるフープ材３を規制ガイドするフープガイド４、昇降自在に配設され部品２を個々に切断分離し保持する切断ポンチ１、スライド・ガイド・ブロック６の外壁を水平および垂直方向に挿通し摺動自在なスライダー７、個々に切断分離した部品２を所定位置で保持し、部品２を保持した状態でスライダー７の摺動移動でスライド・ガイド・ブロック６の外に部品２を搬出するためスライダー７に設けた複数の孔または突起と、スライダー７で搬出された部品２を一時的に保持する受け板で構成する。【選択図】図１
2006032825.tif 000002
【特許請求の範囲】
【請求項１】
複数の部品が定間隔で連続して組込まれたフープ材を上面で受けると共に前記部品を個々に切断するための孔を設けた中空状のスライド・ガイド・ブロックの上面に結合された切断ダイと、この切断ダイの上面に結合され外部から供給される前記フープ材を規制しガイドするフープガイドと、前記切断ダイに設けた孔の上方に昇降自在に配設され前記孔に嵌まり込むことにより前記部品を個々に切断分離する切断ポンチと、前記スライド・ガイド・ブロックの外壁を水平および垂直方向に挿通して摺動自在に配設されたスライダーと、前記切断ポンチが降下することにより個々に切断分離される部品を定位置で保持すると共に、この部品を保持した状態で前記スライダーの摺動移動により前記スライド・ガイド・ブロックの外に部品を搬出するために前記スライダーに設けられた複数の孔あるいは突起と、前記スライダーにより搬出された部品を一時的に保持するための受け板と、前記部品を個々に切断分離する際に前記スライダーを挿通して上昇し、前記部品の下面に当接してガイドし保持する昇降自在に配設されたガイドピンで構成してなる部品供給装置。
【請求項２】
複数の部品が定間隔で連続して組込まれたフープ材を上面で受けると共に前記部品を個々に切断するための孔を設けた中空状のスライド・ガイド・ブロックの上面に結合された切断ダイと、この切断ダイの上面に結合され外部から供給される前記フープ材を規制しガイドするフープガイドと、前記切断ダイに設けた孔の上方に昇降自在に配設され前記孔に嵌まり込むことにより前記部品を個々に切断分離し、その部品を吸引し保持するための貫通孔を有する切断ポンチと、前記スライド・ガイド・ブロックの外壁を水平および垂直方向に挿通して摺動自在に配設されたスライダーと、前記切断ポンチが降下することにより個々に切断分離される部品を定位置で保持すると共に、この部品を保持した状態で前記スライダーの摺動移動により前記スライド・ガイド・ブロックの外に部品を搬出するために前記スライダーに設けられた複数の孔あるいは突起と、前記スライダーにより搬出された部品を一時的に保持するための受け板で構成してなる部品供給装置。
【請求項３】
部品の底部を挿入載置するため、前記部品の形状よりやや大きい複数の孔を有するスライダーを使用してなる請求項１あるいは２に記載の部品供給装置。
【発明の詳細な説明】
【技術分野】
【０００１】
本発明は、スイッチやボリュームなど各種の電子部品を組立てる際、フープ状態で供給される電子部品構成用の部品を単品にして組付けなどを行うための部品供給装置に関するものである。
【背景技術】
【０００２】
一般にフープ状態で供給される電子部品構成用の部品（構成部材）をフープ材に定間隔で組込まれた状態から単品にする場合、所定金型で部品の周縁を切断して分離し保管箱などに集積する。
【０００３】
この単品となった部品を電子部品組立のために供給する際は、それらをパーツフィーダなどで整列させて供給する方法や、部品切断分離用の切断ポンチ、切断ダイ、ガイドピンおよび部品搬送用のパレットを有するスライダーなどで構成して成る部品供給装置がある。
【０００４】
従来における部品供給装置の例について図面を参照しながら説明する。図６は従来における部品供給装置の正面要部構成断面図、図７は同側面要部構成断面図、図８は同動作工程における正面要部構成断面図、そして図９は同他の動作工程における正面要部構成断面図である。
【０００５】
図６〜図９において、２１は超硬材などでなり下先端に切刃を有し、昇降自在に配設された切断ポンチ、２２は各種の電子部品を構成するための素体、端子、接続体、操作体、駆動体あるいは外装体などの構成部材である部品、２３は部品２２を定間隔で組込みフープ状態にて移送する金属材や絶縁材などでなるフープ材、２４は切断ポンチ２１の下先端を挿通させる孔を有し、フープ材２３を規制しガイドする金属材や硬質樹脂材などでなるフープガイド、２５は切断ポンチ２１に対応し、かつその下先端が嵌まり込む孔を設けた超硬材でなる切断ダイである。
【０００６】
２６は金属材でなり、外壁を挿通した貫通孔を水平方向に設けた中空状のスライド・ガイド・ブロック、２７はスライド・ガイド・ブロック２６に設けた貫通孔に摺動自在に保持配設されたスライダー、２８は上部に部品２２を載置して保持する凹部と中央に貫通孔を有し、スライダー２７に取付けられ金属材や硬質樹脂材などでなるパレット、２９はパレット２８に設けた貫通孔を挿通し、部品２２の下面所定箇所に当接するように昇降自在に配設されたガイドピン、３０はガイドピン２９を上方向に付勢するための圧縮バネ、３１は圧縮バネ３０とガイドピン２９を保持するガイドピンホルダーである。
【０００７】
次に動作について説明する。まず部品２２はフープ２３の移動によりフープガイド２４に規制ガイドされて切断ダイ２５の上面を水平方向に移送される。
【０００８】
部品２２のフープ材２３からの切断分離は、図６に示すように、まずガイドピン２９がパレット２８を挿通して上昇して部品２２の下面所定箇所を受ける。
【０００９】
次に図８に示すように切断ポンチ２１が部品２２の上面から下方向に移動（降下）し、ガイドピン２９と共に部品２２の上下面を挟持したまま切断ダイ２５で部品２２の周縁を切断する。
【００１０】
そして、切断ポンチ２１とガイドピン２９は切断分離された部品２２の上下面を挟持したまま降下を続け、パレット２８にその部品２２を挿入載置し、ガイドピン２９はさらにパレット２８から離脱する位置まで降下する。
【００１１】
続いて図９に示すように、スライダー２７が矢印Ｈの水平方向にスライドすることにより、パレット２８に搭載され切断分離した部品２２を切断機構部の外へ移送、搬送あるいは供給するのである。
【００１２】
なお、この出願に関する先行技術文献情報としては、例えば、特許文献１が知られている。
【特許文献１】特開平２−１６７６３０号公報
【発明の開示】
【発明が解決しようとする課題】
【００１３】
しかしながら、前記従来の方法および部品供給装置では、部品２２の落下などによる傷や曲りの損傷や、再度の部品整列工程が必要、そしてスライダーの移動距離が長く、その移動時間が生産スピードを阻害、すなわち工数がかかるという課題を有していた。
【００１４】
本発明は、前記課題を解決しようとするものであり、スライダーの移動距離が短く、部品の損傷が無く、再整列工程が不要で生産スピードの向上が図れる部品供給装置を提供することを目的とするものである。
【課題を解決するための手段】
【００１５】
前記目的を達成するために、本発明は以下の構成を有するものである。
【００１６】
本発明の請求項１に記載の発明は、特に、複数の部品が定間隔で連続して組込まれたフープ材を上面で受けると共に前記部品を個々に切断するための孔を設けた中空状のスライド・ガイド・ブロックの上面に結合された切断ダイと、この切断ダイの上面に結合され外部から供給される前記フープ材を規制しガイドするフープガイドと、前記切断ダイに設けた孔の上方に昇降自在に配設され前記孔に嵌まり込むことにより前記部品を個々に切断分離する切断ポンチと、前記スライド・ガイド・ブロックの外壁を水平および垂直方向に挿通して摺動自在に配設されたスライダーと、前記切断ポンチが降下することにより個々に切断分離される部品を定位置で保持すると共に、この部品を保持した状態で前記スライダーの摺動移動により前記スライド・ガイド・ブロックの外に部品を搬出するために前記スライダーに設けられた複数の孔あるいは突起と、前記スライダーにより搬出された部品を一時的に保持するための受け板と、前記部品を個々に切断分離する際に前記スライダーを挿通して上昇し、前記部品の下面に当接してガイドし保持する昇降自在に配設されたガイドピンで構成しており、これにより、切断分離した部品をスライダーの移動動作と受け板による距離移動短縮と確実な保持ができ、かつ簡単安価な構成で生産スピードの向上が図れるという作用効果を有する。
【００１７】
本発明の請求項２に記載の発明は、特に、複数の部品が定間隔で連続して組込まれたフープ材を上面で受けると共に前記部品を個々に切断するための孔を設けた中空状のスライド・ガイド・ブロックの上面に結合された切断ダイと、この切断ダイの上面に結合された外部から供給される前記フープ材を規制しガイドするフープガイドと、前記切断ダイに設けた孔の上方に昇降自在に配設され前記孔に嵌まり込むことにより前記部品を個々に切断分離し、その部品を吸引し保持するための貫通孔を有する切断ポンチと、前記スライド・ガイド・ブロックの外壁を水平および垂直方向に挿通して摺動自在に配設されたスライダーと、前記切断ポンチが降下することにより個々に切断分離される部品を定位置で保持すると共に、この部品を保持した状態で前記スライダーの摺動移動により前記スライド・ガイド・ブロックの外に部品を搬出するために前記スライダーに設けられた複数の孔あるいは突起と、前記スライダーにより搬出された部品を一時的に保持するための受け板で構成しており、これにより、請求項１の作用効果に加えて、より簡単な機構構成および部品搬送動作の拡大が図れるという作用効果を有する。
【００１８】
本発明の請求項３に記載の発明は、特に、部品の底部を挿入載置するため、前記部品の形状よりやや大きい複数の孔を有するスライダーを使用してなるという構成を有しており、これにより、各種の部品形状に対応して、移動、搬送あるいは供給することができるという作用効果を有する。
【発明の効果】
【００１９】
本発明の部品供給装置は、受け板とスライダーの垂直矩形状の周囲移動動作により、簡単な機構構成で部品の整列および姿勢を保持したまま、フープ材から切断分離した部品を高速かつ確実に移送、搬送あるいは供給することができるという効果を有する。
【発明を実施するための最良の形態】
【００２０】
以下、実施の形態を用いて、本発明の特に請求項１〜３に記載の発明について図面を参照しながら説明する。
【００２１】
なお、背景の技術において説明したものと同じ構成部材などについては、同じ符号を付与し詳細な説明は省略する。
【００２２】
図１は、本発明の実施の形態における部品供給装置の要部構成および動作工程断面図、図２は同概要動作工程図、図３は同要部構成斜視図、図４は同他の実施の形態における部品供給装置の要部構成および動作工程断面図、そして図５は同他の部品供給装置の要部構成および動作工程断面図である。
【００２３】
図１〜図３において、１は切断ポンチ、２は部品（構成部材）、３はフープ材、４はフープガイド、５は切断ダイ、１０は圧縮バネ、そして１１はガイドピンホルダーであり、背景の技術で説明した各々の構成部材と同等である。
【００２４】
６は金属材でなるスライド・ガイド・ブロックであり、上面に切断ダイ５を載置し、外壁を挿通した貫通孔を水平および垂直方向に設けた中空形状となっている。
【００２５】
７はスライド・ガイド・ブロック６に設けた水平方向の貫通孔に、水平垂直方向に摺動自在に保持配設されたスライダーであり、上面に１個あるいは複数個の部品２に対する対の規制爪８を、あるいはまた１個あるいは複数個の垂直に貫通した規制孔１４を所定間隔で設けている。
【００２６】
９はスライダー７に設けた規制孔１４あるいは別個設けた挿通孔（図示せず）を挿通し、部品２の下面所定箇所に当接するように昇降自在に配設されたガイドピン、そして１２は対の受け板であり、硬質樹脂あるいは金属材でなり、スライダー７を挟持するようにして配設されており、部品２の側部に突出した端子などで部品２を所定間隔で載置あるいは移動させるのである。
【００２７】
また、図４における１３は切断ポンチ１の中心部を貫通し、部品２を真空吸引により切断ポンチ１の下先端に吸着させるための真空孔である。
【００２８】
次に前記のように構成された部品供給装置の動作について説明する。まず部品２はフープ材３の片面に所定間隔に搭載されたフープ状態で、フープガイド４により規制ガイドされて切断ダイ５の上面を水平方向に移送され、切断ダイ５の所定箇所に載置される。
【００２９】
続いて図１（ａ）に示すように、ガイドピン９がスライダー７の規制孔１４を挿通して上昇し、ガイドピン９の上端面で部品２の下面を当接して受ける。そして、切断ポンチ１が下降して部品２の上面を切断ポンチ１の下端面が当接し、一方圧縮バネ１０の付勢も含めたガイドピン９の押圧により、ガイドピン９の上端面が部品２の下面に当接し、部品２を所定姿勢の状態を維持しながら挟持する。
【００３０】
次に前記の部品２を挟持した状態で切断ポンチ１とガイドピン９が一体で下降し、切断ポンチ１と切断ダイ５により、部品２をフープ材３から所定形状に切断分離する。
【００３１】
続いて、切断分離された部品２を挟持した切断ポンチ１とガイドピン９は、その状態を維持して下降し、図１（ｂ）に示すように規制爪８で案内規制されてスライダー７の上面で規制孔１４部分を中心とした所定箇所に搭載する。
【００３２】
そして、さらにガイドピン９はスライダー７より抜け出た位置まで下降し、図１（ｃ）に示すように同時に切断ポンチ１が上昇して、部品２をスライダー７の所定箇所に載置するのである。
【００３３】
次に、部品２の切断機構部の外への搬送について説明する。図２および図３において、まずスライダー７は部品２を所定の規制孔１４（図２および図３には図示していない右端および奥位置）の箇所で搭載する位置に設定し、その状態で部品２をフープ材３から切断分離する。
【００３４】
続いて、前記で説明した動作により、部品２が所定箇所に載置され、切断ポンチ１とガイドピン９が除去、すなわちそれぞれ元の位置に復帰した後、図２（ｂ），（ｃ）に示すようにスライダー７を矢印Ａの水平方向に所定距離移動させて、部品２を移送あるいは搬送する。
【００３５】
すると、新規に切断分離された部品２は、部品２より突出した端子などがスライダー７を挟持するように配設された受け板１２の所定箇所の上部に位置することになり、続いて、図２（ｄ），（ｅ）に示すようにスライダー７を矢印Ｂの垂直方向に所定距離移動させて、部品２を受け板１２に移載する。
【００３６】
次に、図２（ｆ），（ｇ）に示すようにスライダー７を矢印Ｃの水平方向に所定距離移動させた後、図２（ｈ）に示すようにスライダー７を矢印Ｄの垂直方向に所定距離移動させて元の位置に復帰させて一工程を終了するのである。
【００３７】
その際、先に切断分離され受け板１２に移載されている部品２は、新規の部品２の移載により順次受け板１２を整列して移動することになる。また、規制孔１４あるいは規制爪８が定間隔で複数有する構造のスライダー７の場合は、先に切断分離され受け板１２に移載されている部品２はそれぞれスライダー７の所定移動距離（矢印Ａの水平方向）の間隔で移載されることになる。
【００３８】
以上、切断パンチ１、切断ダイ５、ガイドピン９およびスライダー７の垂直矩形状の周囲移動動作により、部品２を所定間隔で矢印Ａの水平方向に移動させて、切断機構部の外の受け板１２に移載するのである。
【００３９】
図４は他の実施の形態における構造例であり、ガイドピン９を使用せずに切断ポンチ１の中心部に設けた真空孔１３により部品２を真空吸着（吸引駆動機構は図示せず）して維持し、切断ポンチ１を下降させ切断ポンチ１と切断ダイ５によりフープ材３より部品２を切断分離し、図４（ｂ）、図４（ｃ）に示すように、さらに切断ポンチ１を下降させて切断ポンチ１の下先端に吸着した部品２をスライダー７に載置し、切断ポンチ１の真空吸引を解除かつ元の位置に上昇させる。
【００４０】
以下、前記と同じ動作により部品２を切断機構部の外の受け板１２に移載するのである。
【００４１】
なお、図５は端子などが側面の中央付近から突出している部品２に関する移載動作を示しており、スライダー７に設けた部品２の底部よりやや大きい１個あるいは複数個の規制孔１４ａに、前記の動作工程により切断分離した部品２の底部分を挿入載置し、スライダー７の垂直矩形状の周囲移動動作により部品２を同じく切断機構部の外の受け板１２に移載するのである。
【産業上の利用可能性】
【００４２】
本発明にかかる部品供給装置は、簡単な機構構成で部品の整列および姿勢を保持したまま、フープ材から切断分離した部品を高速かつ確実に移送、搬送あるいは供給することができる効果を有し、各種の電子部品製作、あるいは各種部品（構成部材）の移送、搬送あるいは供給装置などの用途として有用である。
【図面の簡単な説明】
【００４３】
【図１】本発明の実施の形態における部品供給装置の要部構成および動作工程断面図
【図２】同概要動作工程図
【図３】同要部構成斜視図
【図４】同他の実施の形態における部品供給装置の要部構成および動作工程断面図
【図５】同他の部品供給装置の要部構成および動作工程断面図
【図６】従来における部品供給装置の正面要部構成断面図
【図７】同側面要部構成断面図
【図８】同動作工程における正面要部構成断面図
【図９】同他の動作工程における正面要部構成断面図
【符号の説明】
【００４４】
１，２１  切断ポンチ
２，２２  部品（構成部材）
３，２３  フープ材
４，２４  フープガイド
５，２５  切断ダイ
６，２６  スライド・ガイド・ブロック
７，２７  スライダー
８  規制爪
９，２９  ガイドピン
１０，３０  圧縮バネ
１１，３１  ガイドピンホルダー
１２  受け板
１３  真空孔
１４，１４ａ  規制孔
２８  パレット
【図１】
2006032825.tif 000003
【図２】
2006032825.tif 000004
【図３】
2006032825.tif 000005
【図４】
2006032825.tif 000006
【図５】
2006032825.tif 000007
【図６】
2006032825.tif 000008
【図７】
2006032825.tif 000009
【図８】
2006032825.tif 000010
【図９】
2006032825.tif 000011